(57)【要約】【課題】サイズの異なる乗車券を一台の発券装置で発券できるようにする他、それぞれ異なる種類の乗車券を複数枚まとめて排出できるようにした発券装置を提供する。【解決手段】発券装置（１０）は、１つのロール紙（１２）からサイズの異なる乗車券（Ｓ，Ｌ）を切断する手段（１８）を有する。更に、発券装置は、乗車券である小型券（Ｓ）或いは大型券（Ｌ）を複数枚発券する際には、複数枚の小型券又は複数枚の大型券を積み重ねて貯留するそれぞれのポケット（６４，６８）を有する複数枚貯留排出機構（４０）を備える。発券するときには複数枚まとめて排出口（３０）から排出する。【選択図】　図１
2004046702.tif 000002
【特許請求の範囲】
【請求項１】
１つのロール紙からサイズの異なる小型券と大型券とを切断する手段と、
該小型券が切断されたとき、搬送方向に対して縦長となるよう小型券の姿勢を制御する装置と、
発券すべき小型券又は大型券が複数枚であるとき、複数枚の小型券を積層するポケットと、複数枚の大型券を積層するポケットとを有する複数枚貯留排出機構と、
を備えており、複数枚の小型券又は複数枚の大型券をまとめて排出口に排出するようにしたことを特徴とする発券装置。
【請求項２】
前記切断手段は、小型券の短辺位置に配置される第１のカッターと、該第１のカッターよりも上流側で大型券の長辺位置に配置される第２のカッターとを備えていることを特徴とする請求項１に記載の発券装置。
【請求項３】
前記複数枚貯留排出機構は、下流側先端部に下方に向けて突出して小型券又は大型券が搬送されてきたときにこれら券の先端と衝突して搬送を停止させるするストッパと、下流側に複数枚の小型券を積み重ね可能とした小型券用積層ポケットと、該ポケットから上流方向に延びて複数枚の大型券を積み重ね可能とした大型券用積層ポケットとを有する可動アームを含んでいることを特徴とする請求項１又は２に記載の発券装置。
【請求項４】
前記可動アームは、上流側の後端部に軸を介して上下にスイング可能に取り付けられ、小型券又は大型券を排出する際に、ソレノイドの作動により該軸を中心として上方にスイングし、前記小型券又は大型券の搬送を阻止していた前記ストッパを上昇させることを特徴とする請求項３に記載の発券装置。
【請求項５】
前記複数枚貯留排出機構はガイドブロックを有し、前記小型券が複数枚積層される際に該小型券の上流側である後端部を上方に反らせるための第１の突出部と、前記大型券が複数枚積層される際に該大型券の上流側である後端部を上方に反らせるための第２の突出部を前記ガイドブロックは有することを特徴とする請求項１〜４のいずれか一項に記載の発券装置。
【請求項６】
前記第１の突出部及び第２の突出部は、その下流側の面が下方に向けて傾斜する傾斜面を有することを特徴とする請求項５に記載の発券装置。
【発明の詳細な説明】
【０００１】
【発明の属する技術分野】
本発明は、例えば鉄道等において使用される乗車券等を発券する自動券売機に関し、特に該自動券売機に内蔵される発券装置に関する。
【０００２】
【従来の技術】
従来の自動券売機においては、例えば、近距離区間ではエドモンソン券（以下、短券という。）のみを発券する券売機、或いは長距離区間では短券の長辺と等しい長さからなる短辺を有する大型券のみを発券する券売機が用いられている。いずれにしても、従来の自動券売機においては、一種類の乗車券しか発券できなかった。
【０００３】
【発明が解決しようとする課題】
このため、駅構内には、近距離区間用の自動券売機のみを設置し、長距離区間の乗車券の購入者は窓口で乗車券を購入するか、近距離用の自動券売機と長距離用の自動券売機の二種類の券売機を設置して利用客に対応するしかなかった。
【０００４】
しかし、近距離用の券売機のみを設置して対応するには、長距離用の利用客に対してわざわざ駅員が応対する必要があり、人件費等の問題が生ずる。
【０００５】
また、駅構内に二種類の券売機を設置するには、該駅構内のスペース上の問題及び余り利用されない長距離用の券売機に対する設備費がかさむ。
【０００６】
本発明は、上記点に鑑みてなされたものであって、サイズの異なる複数の種類の乗車券を一台の自動券売機でそれぞれ複数枚発券することができる発券装置を提供することを課題とする。
【０００７】
【課題を解決するための手段】
上記課題を解決するため本発明は、１つのロール紙からサイズの異なる小型券と大型券とを切断する手段と、該小型券が切断されたとき、搬送方向に対して縦長となるよう小型券の姿勢を制御する装置と、発券すべき小型券又は大型券が複数枚であるとき、複数枚の小型券を積層するポケットと、複数枚の大型券を積層するポケットとを有する複数枚貯留排出機構と、を備えており、複数枚の小型券又は複数枚の大型券をまとめて排出口に排出する発券装置とした。
【０００８】
このように、１つのロール紙からサイズの異なる小型券と大型券とを切断することにより、一台の発券装置でもってサイズの異なる種類の乗車券を発券することができ、小型券用の、或いは大型券用の発券装置を用意する必要がなく、スペース的に有効である他、費用の面においても廉価にできる。
【０００９】
更に、このような種類の異なる乗車券をそれぞれ複数枚積層貯留して排出するときには、それぞれ複数枚の券をまとめて排出することができる。
【００１０】
本発明における前記切断手段としては、例えば、小型券の短辺位置に配置される第１のカッターと、該第１のカッターよりも上流側で大型券の長辺位置に配置される第２のカッターとを備えるのが好ましい。このように、第１のカッターを小型券の短辺位置に配置しておくと、例えば駅構内に設けられている自動券売機にあっては、通常、一人の利用客が近距離用の乗車券である小型券を求めるのが多く、該小型券の購入の際、第１のカッターのみを最先に作動させることにより小型券が得られ、発券時間が短縮されるので好ましい。
【００１１】
本発明の複数枚貯留排出機構は、下流側先端部に下方に向けて突出して小型券又は大型券が搬送されてきたときにこれら券の先端と衝突して搬送を停止させるするストッパと、下流側に複数枚の小型券を積み重ね可能とした小型券用積層ポケットと、該ポケットから上流方向に延びて複数枚の大型券を積み重ね可能とした大型券用積層ポケットとを有する可動アームを備える。このように、１つの可動アームに小型券用積層ポケットと大型券用積層ポケットを有するようにすると、機構上複雑とならず、簡単な構成でもって２つのサイズの異なる乗車券をそれぞれ積層貯留することができるので好ましい。
【００１２】
前記可動アームは、上流側の後端部に軸を介して上下にスイング可能に取り付けられ、小型券又は大型券を排出する際に、ソレノイドの作動により該軸を中心として上方にスイングし、前記小型券又は大型券の排出口方向への搬送を阻止するストッパを簡単に上昇させるようにする。特に、複数枚積層されていた小型券或いは大型券をまとめて排出するのに好適である。
【００１３】
本発明の複数枚貯留排出機構はガイドブロックを有し、前記小型券が複数枚積層される際に該小型券の上流側である後端部を上方に反らせるための第１の突出部と、前記大型券が複数枚積層される際に該大型券の上流側である後端部を上方に反らせるための第２の突出部を前記ガイドブロックは有する。このように第１突出部により小型券の後端部が上方に向けて反ると、そこに隙間が生じて複数枚積み重ねて一時貯留する際、先の小型券の下側に潜り込み易くなり、スムーズに小型券は積層される。大型券についても同様である。
【００１４】
上記第１の突出部及び第２の突出部は、その下流側の面が下方に向けて傾斜する傾斜面を有する。このように各突出部に傾斜面を形成するようにすれば、小型券及び大型券の後端部は、該傾斜面に沿って上方に無理なく反らすことができるので好ましい。
【００１５】
【発明の実施の形態】
以下、本発明を図面に示した好ましい一実施の形態に基づいて詳細に説明するが、本発明の技術的範囲は、添付図面に示された実施の形態に限定されるものではなく、特許請求の範囲に記載された範囲内において適宜変更が可能である。
【００１６】
図１は、本発明の発券装置１０の概略を示している。この発券装置１０は、図２に示すように小型券Ｓの長辺となる幅を有するロール紙１２を有する。制御ユニット１４に小型券である旨の信号が入力されると、送り駆動モータＭ１を介して送りローラ１６を駆動し、小型券Ｓの短辺分の距離だけロール紙１２を送り、カッター１８で切断される。大型券である旨の信号が制御ユニット１４に入力されると、大型券Ｌの長辺分の長さだけロール紙１２を送り、カッター１８で切断される。
【００１７】
ロール紙１２から切断される小型券Ｓと大型券Ｌとの関係については図２に詳細に示されている。小型券Ｓであるエドモンソン券の長辺Ｓ１と大型券Ｌの短辺Ｌ１の長さは同じであり、実際の寸法はＳ１＝Ｌ１＝５７．５ｍｍである。小型券Ｓの短辺Ｓ２の長さは３０ｍｍである。大型券Ｌの長辺Ｌ２の長さは８５ｍｍである。
【００１８】
上述したように、つまり、小型券である旨の信号が制御ユニット１４に入力されると送り駆動モータＭ１が駆動してカッター１８の位置から小型券Ｓの短辺Ｓ２の長さ、すなわちロール紙１２は送りローラ１６により３０ｍｍ矢印で示す方向に送られ、カッター１８で切断される。小型券Ｓを複数枚発券するときは、その都度、３０ｍｍ分送られ切断される。
【００１９】
大型券Ｌである旨の信号が制御ユニット１４に入力されると、同様に送り駆動モータＭ１が駆動して大型券Ｌの長辺Ｌ２の長さである８５ｍｍ分ロール紙１２は送りローラ１６により前方に送られ、カッター１８で切断される。大型券Ｌを複数枚発券するときは、その都度、送りローラ１６により８５ｍｍ送られ切断される。
【００２０】
送りローラ１６の駆動源である送り駆動モータＭ１としては、例えばパルスモータが使用される。
【００２１】
上記実施例ではカッター１８を１つ用いた例を示しているが、本発明はこれに限定されず、図３に示すように、小型券Ｓを切断するための第１のカッター１８ａと、大型券Ｌを切断するための第２のカッター１８ｂを備えるようにしてもよい。つまり、自動券売機においては、１枚の小型券が購入されることが最も多いことから、あらかじめ、ロール紙１２の先端を第１のカッター１８ａよりも前方に小型券Ｓの短辺となる長さＳ２分、つまり、３０ｍｍ分送り込んだ状態で待機させておく。
【００２２】
そして、小型券である旨の信号が制御ユニット１４に入力されると、第１のカッター１８ａが作動してロール紙１２を切断する。その後に送り駆動モータＭ１が駆動して第１のカッター１８ａよりも前方にロール紙１２の先端が突出するようロール紙１２を送り込み、待機状態にする。
【００２３】
大型券である旨の信号が制御ユニット１４に入力されると、直ちに第２のカッター１８ｂが作動してロール紙１２を切断する。その後に送り駆動モータＭ１が駆動して第１のカッター１８ａよりも前方にロール紙１２の先端が３０ｍｍ突出するようロール紙１２を送り込む。
【００２４】
このように２つのカッターを備えることにより、１枚の乗車券を購入する際には、初めにカッターが作動してロール紙を切断するため、発券時間が短縮される。
【００２５】
ロール紙１２から切断された小型券Ｓ又は大型券Ｌは、図１に示す姿勢制御装置２０に送られる。大型券Ｌの場合は、そのまま姿勢制御装置２０を通過するが、小型券Ｓの場合は、搬送方向に向けて縦方向となるよう姿勢制御される。この姿勢制御は、図４に示すように、小型券を発券するとき姿勢制御用ソレノイド２２が作動し、プランジャ２２ａが上方に向けて突出する。該プランジャ２２ａは小型券Ｓの搬送方向側の辺の一方端側の搬送を停止する。これにより、小型券Ｓは、矢印で示すように９０゜回転し、搬送方向に対して縦方向となるよう姿勢を変えられる。
【００２６】
姿勢制御装置２０を通過した各乗車券は、水平ベルト２４を通り、垂直搬送ベルト２６により上方に向けて搬送される。小型券Ｓ又は大型券Ｌからなる乗車券Ｃは、搬送駆動ローラ２８を有する垂直搬送ベルト２６により挟持されて上方に搬送される。搬送駆動ローラ２８は、搬送駆動モータＭ２により正逆可能に回転駆動される。
【００２７】
垂直搬送ベルト２６により搬送された乗車券Ｃは、複数枚貯留排出機構４０に送られる。該複数枚貯留排出機構４０は、小型券Ｓ又は大型券Ｌをそれぞれ１枚発券するときは、一時貯留せずにそのまま排出口３０より排出されるが、それぞれを複数枚発券するときは、購入枚数となるまで積み重ねられるよう一時貯留され、購入枚数が貯留された時点で複数枚の乗車券を同時に排出する。
【００２８】
次に、複数枚貯留排出機構４０の構成について、図５に基づいて説明する。図５は、小型券Ｓが複数枚貯留されている状態を示している。
【００２９】
複数枚貯留排出機構４０は、搬送駆動ローラ２８と排出口３０付近に配置される従動ローラ４２とに巻回される排出ベルト４４を有する。該排出ベルト４４はテンションローラ４６，４６により緩まないようにテンションが掛けられる。搬送路には、排出ベルト４４と面一となるようガイドブロック４８が配置される。
【００３０】
該ガイドブロック４８は、図６及び図７に示すように、山形状をした第１の突出部５０と第２の突出部５２とを有する。
【００３１】
第１の突出部５０は、図５及び図７に示すように複数枚の小型券Ｓを貯留する際、該小型券Ｓの後端部を上方に反らせて次の小型券Ｓが積層された小型券Ｓの一番下の位置となるよう潜り込ませ易いようにするため設けられている。この第１の突出部５０は、図７に示すように、小型券Ｓを搬送する左右の排出ベルト４４，４４の一方寄りに設けられている。
【００３２】
第２の突出部５２は、複数枚の大型券Ｌ（図９参照）を貯留する際、該大型券Ｌの後端部を上方に反らせて、次の大型券Ｌが積層された大型券Ｌの一番下の位置となるよう潜り込ませ易いように設けられる。この第２の突出部５２は、図７に示すように、左右の排出ベルト４４，４４の間に設けられる。
【００３３】
これら第１及び第２の突出部５０，５２は、図６に示されるように、搬送方向に向けて低くなるよう傾斜部５４，５４を有する。該傾斜部５４に小型券Ｓ或いは大型券Ｌの後端部が沿うことにより、これら券の後端部は上方に反らされる。このように緩い傾斜部５４，５４を形成することにより、乗車券が折れ曲がることがない。このように乗車券の後端部を上方に向けて反らせることにより、該乗車券の後端部とガイドブロック４８との間に隙間５６が形成され、乗車券はスムーズに潜り込めるようになる。
【００３４】
複数枚貯留排出機構４０は、図５に示すように、複数枚の小型券Ｓ又は複数枚の大型券Ｌを貯留し、それぞれまとめて排出する可動アーム６０を有する。
【００３５】
該可動アーム６０は、下流側（つまり、排出口３０側）の先端部に下方に突出するよう形成されたストッパ６２と、複数枚の小型券Ｓを積層して貯留するために下面が上流側に向けて傾斜するよう切り欠かれた小型券用積層ポケット６４と、該ポケット６４に段差６６を介して更に上流側に向けて傾斜するよう切り欠かれた大型券用積層ポケット６８を有する。
【００３６】
上記可動アーム６０は、上流側である後端部に第１のソレノイド７０が連結されており、該第１のソレノイド７０が作動することにより、軸７２を中心として時計回り方向に回転する。そして、下流側である先端部のストッパ６２が上方に持ち上がる。
【００３７】
小型券用押さえアーム７４は、その下流側先端部にピンチローラ７６を有し、上流側の先端部に付勢部材としての加圧ばね７８を有する。該アーム７４は支持ピン７５を中心としてスイング可能となっている。加圧ばね７８の一端は、可動アーム６０に設けられたピン８０に係止される。該加圧ばね７８は、実施の形態ではねじりコイルばねからなる。加圧ばね７８は可動アーム６０が上方にスイングし、ピン８０が上方に持ち上がることにより加圧力が増し、ピンチローラ７６の排出ベルト４４方向への押圧力が増大する。
【００３８】
大型券用押さえアーム８２は、その上流側先端部にピンチローラ８４を有し、下流側の先端部に付勢部材としての加圧ばね８６を有する。該アーム８２は支持ピン８８を中心としてスイング可能となっている。該加圧ばね８６は、実施の形態ではねじりコイルばねからなり、その一端は発券装置１０の図示しない側板に係止される。
【００３９】
排出ベルト４４の排出口３０側である下流側には、小型券Ｓ或いは大型券Ｌからなる乗車券Ｃを排出口３０から排出する際に該乗車券Ｃを一時的に保持する保持ローラ９０が設けられる。該保持ローラ９０は、排出口３０から排出すべき券が落下しないように保持するためのものであって、キャッチングローラともいう。該保持ローラ９０は、ばねからなる加圧部材９２により排出ベルト４４方向に付勢され、上下動するようになっている。
【００４０】
排出ベルト４４の上流側部分には、ベルトの一部が接触するように送りベルト機構１００が配置される。該送りベルト機構１００は、図１に示すように４つのローラ１０２，１０４，１０６，１０８に巻回された送りベルト１１０を有する。
【００４１】
垂直搬送ベルト２６により送られてきた乗車券Ｃは、ウイング１２０により排出ベルト４４側に誘導され、排出ベルト４４と送りベルト１１０とに挟持され小型券用積層ポケット６４又は大型券用積層ポケット６８に方向に搬送され、可動アーム６０のストッパ６２により先端が衝突し停止する。
【００４２】
参照符号１３０は、枚数検出用のセンサである。センサ１３０で検出した信号は図１に示す制御ユニット１４に送出される。排出すべき乗車券Ｃの枚数が所定枚数に達すると、制御ユニット１４は、排出すべき乗車券Ｃを排出するためソレノイド７０が作動するようソレノイド作動信号を出力する。
【００４３】
次に、小型券Ｓの積層及び排出について、図５及び図８に基づいて説明する。図５に示すように、垂直搬送ベルト２６により搬送されてきた小型券Ｓは、ウイング１２０により誘導され、排出ベルト４４と送りベルト１１０に挟持されて排出口３０方向に搬送される。更に、該小型券Ｓは、ピンチローラ８４と排出ベルト４４に挟持されて送られた後、ピンチローラ７６と排出ベルト４４に挟持されて更に下流方向に送られる。可動アーム６０のストッパ６２に小型券Ｓの先端が衝突することにより小型券Ｓは停止する。前述したように該小型券Ｓの後端部は上方に向けて反れるため、次に搬送されてくる小型券Ｓは、停止している小型券Ｓの下に潜り込み、ストッパ６２に衝突することにより停止される。このように複数枚の小型券Ｓは、小型券用積層ポケット６４において積層される。
【００４４】
所定枚数の小型券Ｓが上記ポケット６４に積層された後は、図８に示すようにソレノイド７０が作動して可動アーム６０は軸７２を中心として時計回り方向に回転し、その先端部のストッパ６２が上昇する。該ストッパ６２により搬送抑制されていた積層された複数枚の小型券Ｓは、小型券用押さえアーム７４のピンチローラ７６と排出ベルト４４に挟持されて排出口３０方向に送り込まれる。この際、加圧ばね９２の加圧力に抗して複数枚の小型券Ｓは、保持ローラ９０を上方に押しのける。排出口３０から小型券Ｓの一部が突出した状態で駆動ローラ２８の駆動が停止する。複数枚の小型券Ｓの上流側である後端部は保持ローラ９０と排出ベルト４４とに挟持されて、該複数枚の小型券Ｓは排出口３０から一部が突出状態で保持される。利用客はこの突出している小型券Ｓをつまんで排出口３０から引く抜く。
【００４５】
次に、大型券Ｌの積層及び排出について、図９及び図１０に基づいて説明する。図９に示すように、垂直搬送ベルト２６により搬送されてきた大型券Ｌは、ウイング１２０により誘導され、排出ベルト４４と送りベルト１１０に挟持されて排出口３０方向に搬送される。更に、大型券Ｌは、ピンチローラ８４と排出ベルト４４に挟持されて送られた後、ピンチローラ７６と排出ベルト４４に挟持されて更に下流方法に送られる。大型券Ｌは、可動アーム６０のストッパ６２に先端が衝突することにより停止する。図６において説明したように、大型券Ｌの後端部は、ガイドブロック４８の第２の突出部５２により上方に反れる。このため次に搬送されてくる大型券Ｌは、停止している大型券Ｌの下に潜り込み、ストッパ６２に先端が衝突することにより停止される。このように複数枚の大型券Ｌは、大型券用積層ポケット６８において積層される。
【００４６】
所定枚数の大型券Ｌが上記ポケット６８内に積層された後は、図１に示す制御ユニット１４からソレノイド作動信号が出力され、ソレノイド７０が作動する。そして、図１０に示すように、可動アーム６０は軸７２を中心として時計回り方向に回転し、その先端部に形成されているストッパ６２が上昇する。該ストッパ６２により搬送抑制されていた積層された複数枚の大型券Ｌは、ピンチローラ７６及び８４と排出ベルト４４に挟持されて排出口３０方向に送り込まれる。この際、加圧ばね９２の加圧力に抗して複数枚の大型券Ｌは、保持ローラ９０を上方に押しのける。排出口３０から大型券Ｌの一部が突出した状態で駆動ローラ２８の駆動が停止する。複数枚の大型券Ｌの上流側である後端部は保持ローラ９０と排出ベルト４４とに挟持されて、該複数枚の大型券Ｌは排出口３０から一部が突出した状態で保持される。利用客は大型券Ｌの突出部分をつまんで排出口３０から引き抜く。
【００４７】
次に、乗車券Ｃが排出口３０にキャッチングされた状態で、利用客が券の取り忘れを行ったときの券の回収について、小型券Ｓを例にとって図１１に基づいて説明する。
【００４８】
図８に示すように、排出口３０に複数枚の小型券Ｓが突出した状態で保持ローラ９０により保持しているとき、一定時間経過しても該小型券Ｓが引き抜かれないと、利用客は小型券Ｓを取り忘れたと判断する。この一定時間の計測は、排出口３０付近に設けられる排出券検出センサ１４０の検知信号に基づき、図１に示す制御ユニット１４内に設けられているタイマーが作動することにより計時される。一定時間内に引き抜きが行われれば取り忘れがないと判断し、タイマーはリセットされる。一定時間経過した後に未だ排出券検出センサ１４０からの検知信号があると、利用客は購入小型券Ｓを取り忘れたと判断する。このとき、制御ユニット１４は、搬送駆動モータＭ２を逆回転するよう制御する。
【００４９】
この搬送駆動モータＭ２の逆回転により搬送駆動ローラ２８が逆回転し、搬送ベルト４４は逆方向に（上流方向に向けて）回転し、保持されている複数枚の小型券Ｓは、該搬送ベルト４４と保持ローラ９０とに挟持されながら上流方向に搬送される。
【００５０】
逆方向に搬送された小型券Ｓは、図１１に示すようにその後端部がピンチローラ７６に衝突する。複数枚の小型券Ｓのうち一番下の位置にある小型券が搬送ベルト４４に接触しているため、該複数枚の小型券Ｓは下から順番に分離されて上流方向に逆送される。このとき、ウイング１２０は、回収券が垂直搬送ベルト２６に行かないよう回収箱１５０方向に回収券を誘導する。そして、図示するように一枚ずつ取り忘れ券は、回収箱１５０内に回収される。
【００５１】
以上、取り忘れ券の回収について、小型券を例にとって説明したが、大型券の回収についても同様の作用で回収箱１５０に回収される。
【００５２】
以上の実施の形態においては、複数枚の小型券及び複数枚の大型券について説明したが、一枚の小型券また大型券の場合についても本発明の発券装置は同様に動作する。
【００５３】
【発明の効果】
以上説明したように本発明の発券装置によれば、サイズの異なった乗車券をそれぞれ一枚又は複数枚一台の装置で発券することができる他、複数枚発券するときは、まとめて排出することができる。
【図面の簡単な説明】
【図１】本発明に係る発券装置の全体を示した概略図である。
【図２】１つのロール紙から１つのカッターで小型券と大型券を切断する例を示した図である。
【図３】１つのロール紙から２つのカッターで小型券と大型券とを切断する例を示した図である。
【図４】図２又は図３で切断された小型券を９０゜回転させて姿勢制御する機構を示した図である。
【図５】図１に示した複数枚貯留排出機構を詳細に示した概略図である。
【図６】図５に示した複数枚貯留排出機構に複数枚の小型券又は大型券が積層される際、これら券の後端部を上方に反らすためにガイドブロックに形成した第１及び第２の突出部を示している。
【図７】図６に示した第１及び第２の突出部の配置関係を示した図である。
【図８】複数枚の小型券をまとめて排出口に排出する際の複数枚貯留排出機構の図である。
【図９】複数枚の大型券を積層貯留した状態を示す複数枚貯留排出機構の図である。
【図１０】複数枚の大型券をまとめて排出口に排出する状態を示した複数枚貯留排出機構の図である。
【図１１】一例として図８に示した状態から小型券を回収箱に回収する状態を示した複数枚貯留排出機構の図である。
【符号の説明】
１０　発券装置
１２　ロール紙
１８　カッター
１８ａ　第１のカッター
１８ｂ　第２のカッター
２０　姿勢制御装置
２８　搬送駆動ローラ
３０　排出口
４０　複数枚貯留排出機構
４４　搬送ベルト
４８　ガイドブロック
５０　第１の突出部
５２　第２の突出部
５４　傾斜面
６０　可動アーム
６２　ストッパ
６４　小型券用積層ポケット
６８　大型券用積層ポケット
７０　ソレノイド
７２　軸
Ｓ　小型券
Ｌ　大型券
【図１】
2004046702.tif 000003
【図２】
2004046702.tif 000004
【図３】
2004046702.tif 000005
【図４】
2004046702.tif 000006
【図５】
2004046702.tif 000007
【図６】
2004046702.tif 000008
【図７】
2004046702.tif 000009
【図８】
2004046702.tif 000010
【図９】
2004046702.tif 000011
【図１０】
2004046702.tif 000012
【図１１】
2004046702.tif 000013